(57)【要約】【課題】主に、軒元部分に設置した時に軒元部分の見栄えを向上し得るようにする。【解決手段】水平な軒天井材５と垂直な外壁材６とで構成される建物１の軒元部分７に取付けられる軒元見切部材８に関する。  軒元見切部材８は、軒天井材５の下面に沿って水平に延びる水平部１１と、水平部１１の一端側から外壁材６の外面に沿って垂直下方へ延びる垂直部１２とを有し、水平部１１および垂直部１２は、裏面側に突出部１３を有している。  水平部１１は、他端側に下方へ張り出す張出部２１を有しても良い。  水平部１１は、固定部材３１を取付けるための固定部材取付部３２を有しても良い。  水平部１１は、裏面側に防水材４１を有しても良い。  固定部材取付部３２と防水材４１の端部とが離間して設けられても良い。【選択図】図６
2018145718.tif 000002
【特許請求の範囲】
【請求項１】
水平な軒天井材と垂直な外壁材とで構成される建物の軒元部分に取付けられる軒元見切部材であって、
前記軒天井材の下面に沿って水平に延びる水平部と、該水平部の一端側から前記外壁材の外面に沿って垂直下方へ延びる垂直部とを有し、前記水平部および前記垂直部は、裏面側に突出部を有していることを特徴とする軒元見切部材。
【請求項２】
請求項１に記載の軒元見切部材であって、
前記水平部は、他端側に下方へ張り出す張出部を有していることを特徴とする軒元見切部材。
【請求項３】
請求項１または請求項２に記載の軒元見切部材であって、
前記水平部は、固定部材を取付けるための固定部材取付部を有していることを特徴とする軒元見切部材。
【請求項４】
請求項１ないし請求項３のいずれか１項に記載の軒元見切部材であって、
前記水平部は、裏面側に防水材を有していることを特徴とする軒元見切部材。
【請求項５】
請求項１ないし請求項４のいずれか１項に記載の軒元見切部材であって、
前記固定部材取付部と前記防水材の端部とが離間して設けられていることを特徴とする軒元見切部材。
【請求項６】
請求項１ないし請求項５のいずれか１項に記載の軒元見切部材が軒元部分に取付けられていることを特徴とする建物。
【請求項７】
水平な軒天井材と垂直な外壁材とで構成される建物の軒元部分から前記外壁材を取り外し、
該外壁材の内側から出てきた防水シートを外側へ引き出した状態にして、
前記軒元部分に新たな外壁材を取り付け、外側へ引き出した前記防水シートを前記新たな外壁材の外面に貼り付けた後に、
前記軒元部分に請求項１ないし請求項５のいずれか１項に記載の軒元見切部材を取付けて、前記防水シートを前記軒元見切部材で覆い隠すことを特徴とする軒元見切部材の施工方法。
【発明の詳細な説明】
【技術分野】
【０００１】
この発明は、軒元見切部材、建物、および、軒元見切部材の施工方法に関するものである。
【背景技術】
【０００２】
建物の軒元部分は、水平な軒天井材と垂直な外壁材とによって構成されている。この軒元部分に対し、見切部材を取付けることなどが行われている（例えば、特許文献１、特許文献２参照）。また、特許文献３のように軒樋と一体化したものや、特許文献４〜特許文献６のように軒天井材を支持固定する方法や支持部材も知られている。
【先行技術文献】
【特許文献】
【０００３】
【特許文献１】実開昭６３−１３６１４８号公報
【特許文献２】実開昭６０−１３７０４０号公報
【特許文献３】実開平４−１０５３４０号公報
【特許文献４】実開平６−１６５４２号公報
【特許文献５】特開平６−４２１００号公報
【特許文献６】実開平６−１５３７号公報
【発明の概要】
【発明が解決しようとする課題】
【０００４】
しかしながら、上記特許文献１，２に記載された見切部材は、ほぼ縦長の断面形状を有する部材となっており、主に外壁材の上端部を覆うようにして外壁材に取付けられるようになっていたので、軒元部分に設置した時の見栄えが良くないなどの問題があった。
【０００５】
そこで、本発明は、主に、上記した問題点を解決することを目的としている。
【課題を解決するための手段】
【０００６】
上記課題を解決するために、本発明は、水平な軒天井材と垂直な外壁材とで構成される建物の軒元部分に取付けられる軒元見切部材であって、前記軒天井材の下面に沿って水平に延びる水平部と、該水平部の一端側から前記外壁材の外面に沿って垂直下方へ延びる垂直部とを有し、前記水平部および前記垂直部は、裏面側に突出部を有していることを特徴としている。
【発明の効果】
【０００７】
本発明によれば、上記構成によって、軒元部分に設置した時に軒元部分の見栄えを向上することなどができる。
【図面の簡単な説明】
【０００８】
【図１】本実施の形態にかかる軒元見切部材の端面図である。
【図２】（ａ）は軒元見切部材の底面図、（ｂ）は（ａ）の端面図である。
【図３】軒元見切部材の施工工程を示す建物の軒元部分の拡大側断面図である。
【図４】図３に続く工程図である。
【図５】図４に続く工程図である。
【図６】図５に続く工程図（施工完了状態）である。
【発明を実施するための形態】
【０００９】
以下、本実施の形態を、図面を用いて詳細に説明する。
図１〜図６は、この実施の形態を説明するためのものである。このうち、図１、図２は、軒元見切部材に関するものであり、図３〜図６は、軒元見切部材の施工方法に関するものである。
【実施例１】
【００１０】
＜構成＞以下、構成について説明する。
【００１１】
図３（〜図６）に示すように、戸建住宅などの建物１には、建物本体２の上部における屋根部３との境界部分などに、軒４などと呼ばれる外方への張り出し部分が設けられている。この軒４は、主に、水平な軒天井材５と垂直な外壁材６とで構成されている。この建物１の軒４の奥側部分、即ち、軒元部分７に対して、図１（図２）に示すような、見切部材（軒元見切部材８）を取付けるようにする（図６参照）。なお、この実施例の見切部材（軒元見切部材８）は、防水上および意匠上の目的で用いられるものであり、軒樋とは一体化しておらず、また、軒天井材を支持固定する支持部材とは用途が異なるものである。
【００１２】
（１）以下、この実施例の軒元見切部材８について説明する。
【００１３】
この軒元見切部材８は、軒天井材５の下面に沿って水平に延びる水平部１１と、水平部１１の一端側から外壁材６の外面に沿って垂直下方へ延びる垂直部１２とを有している。そして、水平部１１および垂直部１２は、裏面側に突出部１３を有している。
【００１４】
ここで、水平および垂直は、ほぼ水平または垂直な状態となっていれば良い。軒元見切部材８は、建物１の軒元部分７に設置した状態で、水平方向（建物１の桁方向または妻方向など）へ延びる長尺材とされる（図２参照）。そして、この軒元見切部材８は、水平部１１と垂直部１２とを有する断面ほぼＬ字型のものとされる。軒元見切部材８は、金属製や樹脂製のものなどとすることができる。この場合には、軒元見切部材８は、金属製とされている。軒元見切部材８を金属製とする場合には、長手方向に断面が均一な押出材などとすることができる。
【００１５】
水平部１１は、突出部１３を除いた部分に重複する水平部分などがない、比較的単純な直線形状のものとされている。同様に、垂直部１２は、突出部１３を除いた部分に重複する垂直部分などがない、比較的単純な直線形状のものとされている。水平部１１は、機能上および見栄え上、垂直部１２とほぼ同じかそれよりも若干長いものとするのが好ましい。裏面側は、軒元見切部材８の内表面となる部分であり、水平部１１の軒天井材５側の面（上面）および垂直部１２の外壁材６側の面（内側面）のことである。
【００１６】
突出部１３は、軒元部分７に対する軒元見切部材８の接触部または支持部などとして設けられるものである。そのため、突出部１３は、水平部１１および垂直部１２に対して垂直なものとするのが好ましい。突出部１３は、水平部１１および垂直部１２の裏面側に単数または複数設けることができる。この場合、水平部１１の裏面側には突出部１３が複数設けられており、垂直部１２の裏面側には突出部１３が単数設けられている。但し、突出部１３の設置個数は、上記に限るものではない。
【００１７】
具体的には、水平部１１の裏面側の突出部１３は、水平部１１の両端部と中間部との３箇所に設けられている。また、垂直部１２の裏面側の突出部１３は垂直部１２の下端部近傍の位置に設けられている。水平部１１の裏面側の複数の突出部１３は、それぞれ同じ突出量を有している。垂直部１２の裏面側の突出部１３は、後述する排水隙間１５を形成するのに適した長さの突出量とされている。突出部１３は、軒元見切部材８の長手方向に連続して延びる突条や、長手方向に対して不連続に延びる突条などとすることができる。また、突出部１３は、部分的な突起部などとすることができる。突出部１３は、軒元見切部材８に対して一体に設けられる。
【００１８】
（２）水平部１１は、他端側に下方へ張り出す張出部２１を有するようにしても良い。
【００１９】
ここで、張出部２１は、水平部１１における垂直部１２とは反対側の端縁部に設けられる。張出部２１は、水平部１１に一体に設けられている。張出部２１は、突出部１３とは反対側（水平部１１の表面側または下面側）へ延びるものとされている。張出部２１は、水平部１１の突出部１３とほぼ同じかそれよりも若干長いものとされている。この場合、張出部２１は、突出部１３と平行なものとされている。
【００２０】
（３）水平部１１は、固定部材３１を取付けるための固定部材取付部３２を有するようにしても良い。
【００２１】
ここで、固定部材３１は、釘やビスなどとの留め具とすることができる。固定部材取付部３２は、固定部材３１を取付けるための取付座となるものであり、所要の強度が得られるように水平部１１の他の部分よりも厚肉に構成されている。この場合、固定部材取付部３２は、下面側が垂直部１２へ向かって下り勾配となる傾斜面３５とされている。固定部材取付部３２には、固定部材３１の取付方向を規定するための取付穴３６が、傾斜面３５とほぼ垂直に形成されている。この取付穴３６によって、固定部材３１を斜め下方から取付けることができるようになっている。
【００２２】
（４）水平部１１は、裏面側に防水材４１を有するようにしても良い。
【００２３】
ここで、防水材４１は、どのようなものであっても良いが、この場合には、樹脂製やゴム製などの乾式のものとされている。防水材４１は、軒元見切部材８の本体とは別体のものとされて、軒元見切部材８の本体に貼り付けられることなどによって軒元見切部材８に一体化されている。
【００２４】
防水材４１は、水平部１１の突出部１３の突出量よりも厚肉のものとされて、軒元部分７への設置時に軒天井材５との間で圧縮され防水性が高められるようになっている。また、防水材４１は、水平部１１に設けられた隣接する２つの突出部１３間に設置される。防水材４１は、隣接する２つの突出部１３間の間隔よりも（圧縮によって幅寸法が増加する程度分だけ）狭幅のものなどとされている。
【００２５】
（５）固定部材取付部３２と防水材４１の端部とが離間して設けられるようにしても良い。
【００２６】
ここで、固定部材取付部３２は水平部１１の外側の位置に設置されるようにしている。また、防水材４１は水平部１１の内側の位置に設置されるようにしている。そして、固定部材取付部３２と防水材４１の端部とを（水平方向および垂直方向に）離間するために、固定部材取付部３２と防水材４１の端部との間に隔壁５５を設けるようにしている。この隔壁５５を、水平部１１の中間に位置する突出部１３としている。この突出部１３を、固定部材取付部３２を構成する傾斜面３５の内側の縁部の裏面側となる位置に設置するようにしている。
【００２７】
（６）そして、上記軒元見切部材８が軒元部分７に取付けられている建物１を設けるようにする。
【００２８】
この建物１は、木造住宅や鉄筋コンクリート住宅などとすることができるが、この場合には、工場で予め製造した建物ユニットを現場へ搬送して現場で組み立てるようにしたユニット建物などとすることができる。
【００２９】
建物１は、新築時に軒元部分７に軒元見切部材８を取付けたものとしても良いし、または、改築時やリフォーム時などの修復時に軒元部分７に軒元見切部材８を取付けたものなどとしても良い。
【００３０】
（７）以下、図３〜図６を用いて軒元見切部材８の施工方法について説明する。この軒元見切部材８の施工方法は、以下のようなものである。
先ず、図３に示すような、水平な軒天井材５と垂直な外壁材６とで構成される建物１の軒元部分７から、図４に示すように、外壁材６を取り外す（外壁材取り外し工程）。
次に、外壁材６の内側から出てきた防水シート７１を外側へ引き出した状態にする（防水シート引き出し工程）。
そして、図５に示すように、軒元部分７に新たな外壁材６Ａを取り付け、外側へ引き出した防水シート７１を新たな外壁材６Ａの外面に貼り付ける（外壁材取り付け工程）。
最後に、軒元部分７に上記軒元見切部材８を取付けて、防水シート７１を軒元見切部材８で覆い隠すようにする（見切材取り付け工程）。
【００３１】
ここで、防水シート７１は、防水テープなどのようなものであっても良い。外壁材６の内側から出てきた防水シート７１が短い場合には、既存の防水シート７１の先端に、別の防水シート７１Ａを継ぎ足すようにする。既存の防水シート７１に対する別の防水シート７１Ａの継ぎ足しは、両面粘着テープや接着剤などの接着手段７５などを用いることができる。防水シート７１は、外壁材６の上端部の外面に対し両面粘着テープや接着剤などを用いて圧着する。外壁材６の上端部の外面に圧着する防水シート７１は、軒元見切部材８の垂直部１２から下へはみ出さない長さにする。
【００３２】
＜作用効果＞この実施例によれば、以下のような作用効果を得ることができる。
【００３３】
（作用効果１）軒元見切部材８を、水平部１１と垂直部１２とを有する断面ほぼＬ字型のものとした。これにより、軒元見切部材８をシンプルな形状で、コストが掛からないものにすることができる。
【００３４】
しかも、建物１の軒元部分７に軒元見切部材８を設置した時に、水平部１１によって軒天井材５を下側から覆い隠すと共に、垂直部１２によって外壁材６を外側から覆い隠すことができるので、軒元部分７に見栄え良く軒元見切部材８を設置することが可能となる。即ち、軒元部分７を良好な外観に仕上げることができる。
【００３５】
また、軒元見切部材８が横方向へ比較的長く延びる水平部１１を有することにより、外部から軒元部分７への雨水の吹き込みを水平部１１によって抑制することができる。
【００３６】
そして、水平部１１および垂直部１２の裏面側に突出部１３を設けるようにした。これにより、軒元部分７に軒元見切部材８を設置した時の接触圧力を高めることができるので、軒元見切部材８を簡単にきれいに取付けることができるようになる。また、上記により、軒元見切部材８を建物１の軒元部分７に取付けた時に、突出部１３によって、しっかりした固定状態やシール状態（防水性）などを得ることが可能となる。
【００３７】
更に、垂直部１２の裏面側に突出部１３を設けることによって、垂直部１２と外壁材６との間に排水隙間１５を確保することができ、この排水隙間１５を通して建物１の内側からの排水（図６の波線参照）を行わせることができる。
【００３８】
（作用効果２）水平部１１の他端側に張出部２１を設けるようにしても良い。この張出部２１によって、外部から軒天井材５と水平部１１との間への水浸入を防止することができる。また、張出部２１によって、水平部１１を軒天井材５に取付けるための固定部材３１の頭部などを外部から隠して見え難くしたり保護したりすることができる。同様に、張出部２１によって、固定部材取付部３２およびその周辺を保護することができる。
【００３９】
（作用効果３）水平部１１に固定部材取付部３２を設けるようにしても良い。これにより、水平部１１を軒天井材５に対して下側から固定部材３１で取付けることによって、軒元見切部材８を建物１の軒元部分７に設置することが可能となる。よって、高所作業となる軒元見切部材８の取付けを容易化することができる。
【００４０】
この際、固定部材取付部３２に、垂直部１２へ向けて下り勾配となる傾斜面３５、および、傾斜面３５と垂直な取付穴３６を設けるようにしても良い。これにより、固定部材３１を斜め下方から取付けることが可能となるので、軒元見切部材８の取付けを更に容易化することができる。
【００４１】
（作用効果４）水平部１１の裏面側に防水材４１を設けるようにしても良い。これにより、水平部１１と軒天井材５との間を防水材４１で防水することができる。よって、軒天井材５と水平部１１との間への外部からの水浸入をより有効に防止できるようになると共に、建物１の内側からの排水が、軒天井材５と水平部１１との間へ浸入するのを防止して、垂直部１２の裏面側の排水隙間１５へ確実に向かわせることができる。
【００４２】
（作用効果５）固定部材取付部３２と防水材４１の端部とを離間させるようにしても良い。これにより、防水材４１が固定部材取付部３２と重ならないように確実に両者を切り離すことができ、防水材４１による防水効果を最大限に発揮させることができる。よって、固定部材取付部３２および固定部材３１を防水材４１によって有効に保護することができる。
【００４３】
また、固定部材取付部３２と排水隙間１５との間に防水材４１を設けることで、固定部材取付部３２と排水隙間１５との間を防水材４１で確実に遮断して、固定部材取付部３２および固定部材３１を、排水隙間１５を流れる排水から確実に保護することができる。
【００４４】
（作用効果６）軒元部分７に軒元見切部材８が取付けられた建物１を設けた。これにより、建物１は、上記と同様の作用効果を得ることができると共に、軒元部分７の見栄えが良いものとすることができる。
【００４５】
（作用効果７）上記した軒元見切部材８の施工方法によれば、上記と同様の作用効果を得ることができると共に、（外壁材６の補修・交換時などに）簡単で且つ見栄え良く軒元部分７に軒元見切部材８を施工することができる。また、外壁材６の外側へ引き出した防水シート７１と軒元見切部材８との間に形成される排水隙間１５を通して、建物１の内側からの排水が確実に行われるようにすることができる。
【００４６】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４７】
１      建物
５      軒天井材
６      外壁材
６Ａ    新たな外壁材
７      軒元部分
８      軒元見切部材
１１    水平部
１２    垂直部
１３    突出部
２１    張出部
３１    固定部材
３２    固定部材取付部
４１    防水材
７１    防水シート
７１Ａ  別の防水シート
【図１】
2018145718.tif 000003
【図２】
2018145718.tif 000004
【図３】
2018145718.tif 000005
【図４】
2018145718.tif 000006
【図５】
2018145718.tif 000007
【図６】
2018145718.tif 000008